(57)【要約】【課題】閲覧する前に誤って誰かに削除されたデータであっても、そのデータがサーバから紛失してしまうことを防止できる通信装置を提供する。【解決手段】通信装置は、外部より取得したデータをサーバに送信する。サーバから、そのデータに関するアクセス情報を取得し、データが誰にも閲覧される前に削除されたかを、アクセス情報に含まれる閲覧情報および削除情報から判断する。そのデータが誰にも閲覧される前に削除された場合は、データを再びサーバに送信する。【選択図】        図１
2008263269.tif 000002
【特許請求の範囲】
【請求項１】
サーバと通信可能な通信装置であって、
外部より取得したデータをサーバに送信する送信手段と、
前記データを記憶する記憶手段と、
前記サーバから、そのサーバが記憶する前記送信手段で送信したデータに関するアクセス情報を取得する取得手段と、
前記取得手段により取得したアクセス情報に、前記データの閲覧に関する第１情報が含まれているか否かを判断する第１判断手段と、
前記取得手段により取得したアクセス情報に、前記データの削除に関する第２情報が含まれているかを判断する第２判断手段と、を備え、
前記第１判断手段により前記第１情報が含まれていないと判断し、かつ、前記第２判断手段により前記第２情報が含まれていると判断したデータについて、前記記憶手段から該当するデータを読み出し、前記送信手段により前記サーバに送信することを特徴とする通信装置。
【請求項２】
前記第１判断手段により、前記第１情報が含まれていると判断したデータに該当するデータを、前記記憶手段から削除する削除手段を備えることを特徴とする請求項１に記載の通信装置。
【請求項３】
外部より取得したデータに関する一覧履歴を出力する出力手段を備え、
前記一覧履歴に、前記取得手段により取得したアクセス情報を付加して出力することを特徴とする請求項１または２に記載の通信装置。
【発明の詳細な説明】
【技術分野】
【０００１】
本発明は、外部から取得したデータを、サーバへ転送する通信装置に関する。
【背景技術】
【０００２】
従来、受信した画像データをサーバへ転送するファクシミリ装置が知られている（例えば、特許文献１参照）。特許文献１では、サーバへの画像データの転送が正常に終了すると、ファクシミリ装置の内部メモリに保存された画像データおよびその画像データの受信情報は削除される（段落（００４９）参照）。
【特許文献１】特開平１１−２７５２９３号公報
【発明の開示】
【発明が解決しようとする課題】
【０００３】
しかしながら、画像データの転送が正常に終了したデータであっても、そのデータが出力等により誰かに閲覧される前に、誤ってサーバから削除される場合がある。例えば、サーバにアクセス可能な端末装置から、データの閲覧要求コマンドを送信するつもりが、誤って削除要求コマンドを送信してしまった場合などが挙げられる。
【０００４】
そこで、本発明は、閲覧する前に誤って誰かに削除されたデータであっても、そのデータがサーバから紛失してしまうことを防止できる通信装置を提供することを目的とする。
【課題を解決するための手段】
【０００５】
上記問題に鑑み、本発明における通信装置は、サーバと通信可能な通信装置であって、外部より取得したデータをサーバに送信する送信手段と、前記データを記憶する記憶手段と、前記サーバから、そのサーバが記憶する前記送信手段で送信したデータに関するアクセス情報を取得する取得手段と、前記取得手段により取得したアクセス情報に、前記データの閲覧に関する第１情報が含まれているか否かを判断する第１判断手段と、前記取得手段により取得したアクセス情報に、前記データの削除に関する第２情報が含まれているかを判断する第２判断手段とを備え、前記第１判断手段により前記第１情報が含まれていないと判断し、かつ、前記第２判断手段により前記第２情報が含まれていると判断したデータについて、前記記憶手段から該当するデータを読み出し、前記送信手段により前記サーバに送信することを特徴とする。
【０００６】
さらに、前記第１判断手段により、前記第１情報が含まれていると判断したデータに該当するデータを、前記記憶手段から削除する削除手段を備えるとよい。
【０００７】
また、外部より取得したデータに関する一覧履歴を出力する出力手段を備え、前記一覧履歴に、前記取得手段により取得したアクセス情報を付加して出力するとよい。
【発明の効果】
【０００８】
本発明の通信装置によると、外部より取得したデータをサーバに送信し、かつ、記憶手段に記憶する。そのデータに関するアクセス情報として、閲覧に関する情報がないにもかかわらず削除に関する情報がある場合には、誰にも閲覧される前に削除されたということになる。すなわち、誤って誰かがデータを削除してしまった可能性が高い。その場合には、削除されたデータに該当するデータを記憶手段から読み出し、再びサーバに送信する。
【０００９】
したがって、閲覧する前に誤って誰かに削除されたデータであっても、そのデータがサーバから紛失してしまうことを防止できる。
【００１０】
さらに、サーバに送信したデータの閲覧に関するアクセス情報をサーバから取得した場合は、そのデータが誰かによって閲覧されているため、そのデータを削除するとよい。このような構成によると、データを記憶するための通信装置のメモリ容量が抑えられる。また、ユーザがそのデータを閲覧した後に、不要と判断した場合等、誰かがそのデータを意図的に削除した場合に、誤って再びサーバにデータが送信されることを防止できる。
【００１１】
また、通信装置が、外部より取得したデータに関する一覧履歴を出力する場合に、サーバから取得したアクセス情報を、その一覧履歴に付加して出力するとよい。ユーザが出力された一覧履歴のアクセス情報を見て、そのデータのアクセス状況がわかる。
【発明を実施するための最良の形態】
【００１２】
以下、本発明の実施の形態について図面を参照して説明する。
【００１３】
（本システムの概要）
まず、本実施形態における本システムに関する概要を説明する。
【００１４】
本システムは、図１に示すように、複合機１０と、サーバ３０と、端末装置５０とから構成される。これらの機器はそれぞれが複数あってもよく、また、複合機１０およびサーバ３０と、サーバ３０および端末装置５０と、がそれぞれ通信可能に接続されていればよい。
【００１５】
本システムでは、まず、複合機１０からサーバ３０へデータを転送（アップロード）する（１）。この転送したデータは、サーバ３０に記憶されるとともに、複合機１０でも記憶しておく。
【００１６】
端末装置５０は、ユーザの操作等によりサーバ３０にアクセスし、この複合機１０から転送されたデータの読み出しや、削除等の要求コマンドをサーバ３０に対し、送信することができる。この端末装置５０からの要求に応じて、サーバ３０は、サーバ３０内に記憶する複合機１０から受信したデータの処理を行う（２）。例えば、データの読み出し要求を受けた場合は、そのデータを端末装置５０で表示可能とする閲覧処理を行う。削除要求を受けた場合は、その記憶領域からそのデータの削除処理を行う。
【００１７】
サーバ３０は、端末装置５０からの要求を受けて行った処理および端末装置５０の識別情報（または端末装置５０を操作するユーザの識別情報）を、アクセスログとして記憶する。複合機１０は、このサーバ３０が記憶するアクセスログを所定のタイミングで取得する（３）。
【００１８】
そして、取得したアクセスログを元に、複合機１０がサーバ３０に転送したデータが、誰にも閲覧されずに削除されたか否かを判断する。この判断は、各データについて、読み出しに関するアクセスログがないにもかかわらず、削除に関するアクセスログがあるか否かにより行う。判断の結果、誰にも閲覧されずに削除されたデータに関しては、再びそのデータをサーバ３０に転送する（４−１）。一方、そのデータが誰かに閲覧された場合、すなわち読み出しに関するアクセスログがあった場合、複合機１０が記憶する該当データを削除する（４−２）。
【００１９】
（本システムの構成）
より具体的に一実施の形態について図２から図８を参照して説明する。本実施の形態では、複数の複合機１０ａ、１０ｂ、１０ｃと、サーバ３０と、複数の端末装置５０ａ，５０ｂとが、ＬＡＮを介して接続されているネットワークシステムを例にして説明する。
【００２０】
まず複合機１０の構成について説明する。複合機１０ａ、１０ｂ、１０ｃは、同様の構成であるため、複合機１０ａを元にその構成を説明する。
【００２１】
複合機１０ａは、スキャナ機能、ファクシミリ機能、コピー機能、プリンタ機能を備えた多機能装置である。複合機１０ａは、モデム１１、ＣＰＵ１３、ＲＯＭ１５、ＲＡＭ１７、印字部１９、読取部２１、操作部２３、ＬＡＮインターフェース２７、装着部２９等により構成されている。
【００２２】
モデム１１は公衆回線とも接続されており、例えば、ファクシミリ装置から、公衆回線を介してファクシミリデータを受信する。また、ＬＡＮインターフェース２７を介して、サーバ３０との通信を行う。装着部２９には、ＵＳＢメモリ等の外部メモリ７０が挿抜可能であり、装着部２９に外部メモリ７０が装着されているとき、その外部メモリ７０に記憶されたデータを複合機１０ａが取得可能である。
【００２３】
また、読取部２１は、既存のスキャナユニットで構成されている。読取部２１で読み取った原稿は、ＲＡＭ１７に記憶されたり、サーバ３０のＨＤＤ３９に送信されたりする。印字部１９は、既存のプリンタユニットであり、画像データを出力したり、ＲＡＭ１７に記憶されている「受信データ履歴」を通信管理レポートとして出力したりする。
【００２４】
操作部２３は、表示パネルおよび操作キーからなり、操作部２３を、操作することで、複合機１０ａの各動作や設定変更の指示等を行う。なお、表示パネルが十分な大きさや能力を有していれば、出力手段として、通信管理レポートを表示してもよい。
【００２５】
ＲＯＭ１５には、ファクシミリデータの受信プログラムや、サーバ３０へのアクセスログの取得プログラムなど各種プログラムが記憶されている。ＣＰＵ１３は、ＲＯＭ１５に記憶された各種プログラムを実行する。
【００２６】
ＲＡＭ１７には、プログラムを実行する際に一時的に生成されるファイル、解析ファイル名リスト（図３参照）、受信データ履歴（図４参照）、操作部２３を用いてユーザが操作して設定した設定内容、サーバ３０から取得したアクセスログの情報、ファクシミリ装置からの受信データ、読取部２１から読み取った読取データ、外部メモリ７０から取得した取得データなどの各データ、等が記憶される。
【００２７】
ＲＡＭ１７に記憶される設定内容には、例えば、受信データ、読取データ、取得データなどの各データを、サーバ３０に転送するか否か、サーバ３０に転送する場合であって複数のサーバがネットワークを介して接続されている場合に、どのサーバに転送するか、などの転送情報や、サーバ３０からアクセスログを取得するタイミングなどを設定する取得情報などが含まれる。
【００２８】
解析ファイル名リストは、図３に示すように、サーバ３０へ転送したデータのファイル名の一覧を示すリストである。サーバ３０へデータを転送する毎に、解析ファイル名リストに転送したファイル名が追加され、サーバ３０でそのデータの閲覧が行われたと判断した場合に、そのファイル名が解析ファイル名リストから削除される。
【００２９】
「受信データ履歴」は、複合機１０ａが受信したファクシミリデータのログに関する情報である。この「受信データ履歴」は、所定のタイミング（予め設定された時間や予め設定されたログの蓄積量になったタイミング、ユーザが複合機１０ａを操作したタイミング）で印字部１９より出力される。その「受信データ履歴」として、図４に示すように、各データに関する通信日時、コメント、ファイル名、アクセス者、アクセス方法が記憶されている。通信日時は、ファクシミリデータを受信した日時である。コメントは、受信したファクシミリデータの転送状況に関する情報が記憶される。ファイル名は、ファクシミリデータをサーバ３０に転送した場合に、そのファクシミリデータに付されるファイル名である。アクセス者およびアクセス方法は、サーバ３０よりアクセスログを取得した際に、アクセスログに含まれる情報であり、サーバ３０に記憶されたファクシミリデータを誰がどのようなアクセス方法でアクセスしたかについての情報が記憶される。
【００３０】
このような「受信データ履歴」を出力することで、その出力物を見たユーザが受信したファクシミリデータの閲覧状況等を容易に知ることができる。例えば、図４の最上欄の情報で、２００７年２月７日１０時１０分１０秒に、外部のファクシミリ装置から公衆回線を介して受信したファクシミリデータは、サーバ３０へ転送されることなく複合機１０ａのＲＡＭ１７に記憶されていることがわかる。また、２行目に記されている「受信データ履歴」は、２００７年２月７日１５時００分００秒に受信したファクシミリデータであり、サーバＡへ転送されている。さらに、そのファクシミリデータのファイル名は、「ｆａｘｄａｔａ＿Ｃ」であり、サーバＡに転送してから、「ｕｓｅｒ＿Ａ」、「ｕｓｅｒ＿Ｂ」、「ｕｓｅｒ＿Ｃ」の指示によって読み出され、すなわち閲覧されており、「ｕｓｅｒ＿Ａ」の指示によって、そのデータは削除されていることがわかる。なお、印字部１９で印字されたログに関する「受信データ履歴」は、ＲＡＭ１７から削除される。
【００３１】
サーバ３０および端末装置５０は、既存のパーソナルコンピュータにより構成されている。サーバ３０のＨＤＤ３９には、複合機１０ａ、１０ｂ、１０ｃから受信した受信データ、読取データ、取得データが記憶されている。また、端末装置５０ａ，５０ｂから、サーバ３０のＨＤＤ３９に記憶された各データへのアクセスが可能となっており、端末装置５０は、ユーザの操作等によって、サーバ３０のＨＤＤ３９へアクセスして、ＨＤＤ３９に記憶されたデータの閲覧や削除等の指示が行える。
【００３２】
また、サーバ３０のＨＤＤ３９には、ＬＡＮを介して接続された各機器（複合機１０ａ、１０ｂ、１０ｃ、端末装置５０ａ，５０ｂ）からのアクセスログが記憶されている（図５参照）。このアクセスログは、複合機１０ａから閲覧可能な記憶領域に記憶されており、複合機１０ａ、１０ｂ、１０ｃや端末装置５０ａ，５０ｂからのアクセスがあるたびに、追加記録される。
【００３３】
記録される内容は、データにアクセスした日時（アクセス日時）、アクセスしたファイル名（対象ファイル）、アクセスした機器名またはその機器を使用しているユーザ名（アクセス者）、およびアクセスによりどのような指示をしたか（アクセス方法）である。
【００３４】
例えば、複合機１０ｂからファイル名が「ｆａｘｄａｔａ＿Ａ」のファックスデータが２００７年２月７日１１時２７分５３秒にアップロードされた場合は、図５の最上欄のように記憶される。このとき、アクセス者として記憶される「ＭＦＰ＿ｂ」は、複合機１０ｂの識別情報であり、例えば複合機１０ｂのＩＰアドレスである。また、端末装置５０ａにログインしているユーザＡが２００７年２月９日１０時１５分３０秒にファイル名「ｆａｘｄａｔａ＿Ｃ」に対して削除要求をした場合は、図５の９行目のように記憶される。このとき、ユーザＡの情報として、ログインしているユーザ名や、端末装置５０ａの識別情報（例えば、ＩＰアドレス）等を「アクセス者」として記憶する。
【００３５】
なお、本実施形態では、端末装置５０ａからの削除要求には、データを「削除」する旨の指示だけでなく、サーバ３０の記憶領域からそのデータがなくなる場合（例えば、データの移動）の指示も含まれる。
【００３６】
（複合機の処理）
次に、複合機１０ａの動作処理について、図６および図７を参照して説明する。図６は、複合機１０ａのＣＰＵ１３により実行されるデータ転送処理に関するフローチャートである。図６は、受信データとしてファクシミリ装置から受信したファクシミリデータを例にして説明しているが、例えば、受信データを読取部２１から読み取った読取データや、外部メモリ７０から取得した取得データと読み替えても同様である。
【００３７】
複合機１０ａは、複合機１０ａの電源が入っている間は、図６の処理を繰り返し行う。
【００３８】
まず、Ｓ１１０により、ファクシミリデータの受信状況を監視する。公衆回線を介して、ファクシミリデータ（受信データ）を受信した場合には（Ｓ１１０：Ｙｅｓ）、受信したファクシミリデータをＲＡＭ１７に記憶する（Ｓ１２０）。そして、そのファクシミリデータをサーバ３０に転送するかを判断する（Ｓ１３０）。この判断は、予めユーザの操作により設定された転送情報をＲＡＭ１７から読み出して判断する。
【００３９】
サーバ３０に転送すると判断した場合は（Ｓ１３０：Ｙｅｓ）、Ｓ１４０へ移行し、そのファクシミリデータをサーバ３０へ転送する。そして、転送処理が正常に終了できたかを判断し（Ｓ１５０）、正常に終了できた場合には（Ｓ１５０：Ｙｅｓ）、その転送したファクシミリデータのファイル名を解析ファイル名リストに追加する（Ｓ１６０）。
【００４０】
正常に終了できたかの判断は、例えば、所定時間待ってエラー通知を受信しない場合、サーバ３０から正常に受信した旨の通知を受けた場合、などの構成が挙げられる。
【００４１】
Ｓ１３０でサーバ３０に転送しないと判断した場合、および、Ｓ１４０で転送処理が失敗した場合は、そのままＳ１７０へ移行し、受信データ履歴を更新する。このとき「受信データ履歴」として、このファクシミリデータを受信した「通信日時」、およびそのファクシミリデータの受信方法である「コメント」欄に出力されるべき内容が付加される。このとき「コメント」欄には、サーバ３０に転送されなかったことを示す「受信」を記録する。なお、この「受信データ履歴」には、他に「ファイル名」、「アクセス者」、「アクセス方法」がそれぞれ記録可能である。これらについては、サーバ３０へファクシミリデータを転送した場合に利用されるものであるため、サーバ３０に転送しなかったファクシミリデータに関しては、この欄には何も入力されない。
【００４２】
Ｓ１６０で、サーバ３０に転送したファイル名を解析ファイル名リストに追加した後も、Ｓ１７０へ移行する。この場合は、「通信日時」に、ファクシミリデータを受信した日時、「コメント」に、受信した後にサーバ３０に転送したことを示す「受信→サーバＡ」（この場合サーバ３０の識別情報としてサーバ名がサーバＡであることを示す）、「ファイル名」に、解析ファイル名リストに追加したファイル名と同じファイル名をそれぞれ入力する。「アクセス者」および「アクセス方法」は、このときは入力されない。
【００４３】
そして、Ｓ１７０で受信データ履歴を更新するとＳ１１０へ戻って、新たなファクシミリデータの受信待ち状態となる。
【００４４】
次に、図７を参照して、サーバ３０からのアクセスログ取得処理について説明する。
【００４５】
このアクセスログ取得処理も、複合機１０ａの電源が入っている間、繰り返し行われる処理である。
【００４６】
前回アクセスログを取得してから、ＲＡＭ１７の取得情報に記憶された予め決められた一定時間（例えば、１時間）が経過したかを判断する（Ｓ２１０）。経過するまでは、繰り返し一定時間が経過するまで待機する。なお、一定時間が経過していなくても、ユーザが操作部２３を操作することで、この取得処理を行ってもよい。
【００４７】
前回アクセスログを取得してから一定時間が経過したと判断した場合は（Ｓ２１０：Ｙｅｓ）、Ｓ２２０へ移行し、サーバ３０のＨＤＤ３９に記憶されたアクセスログを取得する。なお、この取得処理は、サーバ３０に対してアクセスログの要求を送信し、その要求に応じてサーバ３０から送信されたアクセスログを取得してもよい。
【００４８】
Ｓ２３０で、取得したアクセスログをＲＡＭ１７に記憶する。次に、解析ファイル名リストから一つ目のファイル名を読み出す（Ｓ２３５）。そして、Ｓ２３５で読み出したファイル名と同じファイル名であって、そのアクセスログの「アクセス方法」が「読み出し」となっているアクセスログがあるかを検索する（Ｓ２４０）。そのファイルがあれば（Ｓ２４０：Ｙｅｓ）、ＲＡＭ１７からそのファイル名を有するファクシミリデータを削除する（Ｓ２５０）。また、解析ファイル名リストからそのファイル名を削除する（Ｓ２６０）。
【００４９】
一方、Ｓ２３５で読み出したファイル名と同じファイル名に記録されたアクセスログのうち、「アクセス方法」が「読み出し」となっているアクセスログがない場合（Ｓ２４０：Ｎｏ）、次に、そのファイル名のアクセスログの「アクセス方法」が「削除」となっているアクセスログがあるかを判断する（Ｓ２８０）。「アクセス方法」が「削除」となっているアクセスログがない場合（Ｓ２８０：Ｎｏ）、そのファイル名のファクシミリデータは、まだ誰からもアクセスされていないということなので、そのままＳ２７０へ移行する。
【００５０】
Ｓ２８０で、「アクセス方法」が「削除」となっているアクセスログがある場合（Ｓ２８０：Ｙｅｓ）、そのファイル名のファクシミリデータをＲＡＭ１７から読出し、再びサーバ３０へ転送する（Ｓ２９０）。すなわち、そのファイル名のファクシミリデータは、誰からも読み出されることなく削除されたデータであり、誤って削除された可能性が高いため、再びサーバ３０へと転送するのである。そして、Ｓ２６５へ移行する。
【００５１】
Ｓ２６５では、ＲＡＭ１７に記憶された「受信データ履歴」の同じファイル名に関する項目に、アクセスログに記憶された「アクセス者」、「アクセス方法」をそれぞれ追加する。
【００５２】
Ｓ２７０で、解析ファイル名リストに記憶されたすべてのファイルについて解析が終了したかを判断し、すべてのファイルについての解析が終了するまで、Ｓ２３５からＳ２６５までの処理を繰り返し行う。すべてのファイルについての解析が終了すると、Ｓ２３０で一時的に記憶したアクセスログを削除して、Ｓ２１０へ戻り、一定時間が経過するまで待機状態となる。
【００５３】
（サーバの処理）
次にサーバ３０の動作について図８を参照して説明する。このサーバ３０の処理もサーバ３０の電源が入っている間繰り返し行われる。
【００５４】
サーバ３０は、ＬＡＮを介して、いずれかの機器からのアクセス要求があるかを監視する（Ｓ３１０）。そして、アクセス要求があると、その要求に応じた処理を行う（Ｓ３２０）。例えば、サーバ３０に記憶された所定のファイルについて、読出しの要求や、削除の要求、所定のファイルについてダウンロードの要求などがある。また、サーバ３０へデータのアップロードの要求も含まれる。このような処理に関するアクセスをすべてアクセスログとして記憶する。端末装置５０や複合機１０からの要求に関しては、アクセス方法のほかに、例えば、その端末装置５０にログインしているログイン者情報とともに記憶したり、端末装置５０や複合機１０のＩＰアドレス等の識別情報をアクセス者として記憶したりする。
【００５５】
（他の実施の形態）
本実施の形態は、上述した実施の形態に限らず、適宜変形して実施することができる。
【００５６】
本実施の形態では、サーバ３０からすべてのアクセスログを取得し、複合機１０ａで必要なアクセスログを抽出しているが、サーバ３０が複合機１０ａ，１０ｂ，１０ｃごとに送信するアクセスログを記憶しておいてもよい。例えば、アップロードしたアクセス者（複合機）が一致するファイル名に関するアクセス情報は一つのアクセスログとして記憶しておき、アクセスログ取得要求がきた場合に、その取得要求した複合機とアクセス者が一致するアクセスログのファイルをその複合機に提供すればよい。複合機は不要なアクセスログまで取得することがないため、通信のためのネットワーク負荷を抑え、複合機のメモリ容量の圧迫を未然に防止することができる。さらに、複合機での解析処理も、解析ファイル名リストを用いることなく実現できる。
【００５７】
本実施形態では、複合機１０ａに記憶するデータや解析ファイル名リスト、「受信データ履歴」は、ＲＡＭ１７に記憶しているが、複合機にＥＥＰＲＯＭやＨＤＤなどの不揮発性のメモリを備えている場合には、その不揮発性のメモリに記憶してもよい。
【００５８】
また、複合機を例にしてあげたが、特にこれに限らず例えばファクシミリ装置など、外部からデータを取得し、そのデータをサーバに転送する装置であればよい。
【００５９】
また、アップロードしたデータのファイル名を「解析ファイル名リスト」に追加するタイミングは、受信したデータをＲＡＭに記憶した直後であってもよい。また、本実施の形態は、すでに受信してＲＡＭに記憶されているデータを、ユーザの操作等により、サーバにアップした場合に実現するような構成であってもよい。
【図面の簡単な説明】
【００６０】
【図１】本実施形態の概要を説明する概略図である。
【図２】本実施形態におけるシステム構成図である。
【図３】複合機が記憶する解析ファイル名リストの一例である。
【図４】サーバが記憶するアクセスログの一例である。
【図５】複合機におけるデータ転送処理に関するフローチャートである。
【図６】複合機におけるアクセスログ取得処理に関するフローチャートである。
【図７】サーバにおける処理のフローチャートである。
【図８】ファクシミリ通信管理レポートの一例である。
【符号の説明】
【００６１】
１０ａ、１０ｂ、１０ｃ  複合機（通信装置）
３０ａ  サーバ
５０ａ、５０ｂ  端末装置
１１  モデム
１３  ＣＰＵ
１５  ＲＯＭ
１７  ＲＡＭ（記憶手段）
１９  印字部（出力手段）
２１  読取部
２７  ＬＡＮインターフェース
【図１】
2008263269.tif 000003
【図２】
2008263269.tif 000004
【図３】
2008263269.tif 000005
【図４】
2008263269.tif 000006
【図５】
2008263269.tif 000007
【図６】
2008263269.tif 000008
【図７】
2008263269.tif 000009
【図８】
2008263269.tif 000010